(57)【要約】【課題】赤外光照明により夜間でも有効な映像を得ることができると共に、可視光照明により侵入者への威嚇から便利灯等としても使用可能な監視カメラを提供する。【解決手段】本体ケース内に赤外光ＬＥＤと撮像部及びセンサ部が配置され、赤外光ＬＥＤによる赤外光照明で監視エリア内の映像を撮像部により撮像可能な監視カメラであって、本体ケース内に可視光ＬＥＤが配置され、センサ部による検知信号もしくは外部入力信号により該可視光ＬＥＤが所定のモードで点灯または点滅することを特徴とする。前記赤外光ＬＥＤと可視光ＬＥＤは、本体ケース内に配置された同一のプリント基板上に所定の配列で実装され、また、前記モードは、連続点灯状態の通常モード、点滅状態の点滅モード、通常モードより照度が暗い状態の警戒モードの少なくとも２つに設定される。【選択図】  図３
2009017185.tif 000002
【特許請求の範囲】
【請求項１】
本体ケース内に赤外光ＬＥＤと撮像部及びセンサ部が配置され、赤外光ＬＥＤによる赤外光照明で監視エリア内の映像を撮像可能な監視カメラであって、
前記本体ケース内に可視光ＬＥＤが配置され、前記センサ部の検知信号もしくは外部入力信号により該可視光ＬＥＤが所定のモードで点灯または点滅することを特徴とする監視カメラ。
【請求項２】
前記赤外光ＬＥＤと可視光ＬＥＤが、本体ケース内に配置された同一のプリント基板上に所定の配列で実装されていることを特徴とする請求項１に記載の監視カメラ。
【請求項３】
前記モードが、連続点灯状態の通常モード、点滅状態の点滅モード、前記通常モードより照度が暗い状態の警戒モードの少なくとも２つであることを特徴とする請求項１または２に記載の監視カメラ。
【発明の詳細な説明】
【技術分野】
【０００１】
本発明は、防犯警備システム等に使用される監視カメラに係わり、特に、侵入者への威嚇用や便利灯等としても使用可能な監視カメラに関する。
【背景技術】
【０００２】
従来、監視カメラとしては、暗視型と可視光照明型が使用されている。暗視型の監視カメラは、本体ケース内にＣＣＤ撮像素子からなる撮像部と赤外光ＬＥＤ及びセンサ部等が配置され、本体ケースが天井や壁面等に設置されて赤外光ＬＥＤによる赤外光照明で監視エリア内の侵入者等の映像を撮像するようになっている。また、可視光照明型の監視カメラは、本系ケース内に配置したハロゲン灯による可視光照明で侵入者等の映像を撮像するようになっている。なお、この種の撮像装置に関する公報としては、例えば特許文献１及び特許文献２がある。
【特許文献１】特開２００６−２３７７３３号公報
【特許文献１】特開平１１−２５２４２４号公報
【発明の開示】
【発明が解決しようとする課題】
【０００３】
しかしながら、暗視型の監視カメラにおいて、本体ケース内に配置した赤外光ＬＥＤによる赤外光照明で侵入者等を暗視撮像できるものの、赤外光照明を侵入者への威嚇用として使用することはできず、威嚇用の照明装置やベル等の威嚇装置を別途設ける必要がある等、監視カメラシステムがコスト高になり易い。また、可視光照明型の監視カメラにおいては、ハロゲン灯による可視光照明でカラー撮像したり侵入者への威嚇が行われるものの、消費電力が多く監視カメラのメンテナンスコストが嵩むと共に、可視光が点灯していない場合の映像を得ることが困難で昼夜に係わらず連続した監視を行うことが難しい。
【０００４】
本発明は、このような事情に鑑みてなされたもので、その目的は、赤外光照明により夜間でも有効な映像を得ることができると共に、可視光照明により侵入者への威嚇から便利灯等としても使用可能な監視カメラを提供することにある。
【課題を解決するための手段】
【０００５】
かかる目的を達成すべく、本発明のうち請求項１に記載の発明は、本体ケース内に赤外光ＬＥＤと撮像部及びセンサ部が配置され、赤外光ＬＥＤによる赤外光照明で監視エリア内の映像を撮像部により撮像可能な監視カメラであって、前記本体ケース内に可視光ＬＥＤが配置され、前記センサ部による検知信号もしくは外部入力信号により該可視光ＬＥＤが所定のモードで点灯または点滅することを特徴とする。
【０００６】
また、請求項２に記載の発明は、前記赤外光ＬＥＤと可視光ＬＥＤが、本体ケース内に配置された同一のプリント基板上に所定の配列で実装されていることを特徴とし、請求項３に記載の発明は、前記モードが、連続点灯状態の通常モード、点滅状態の点滅モード、前記通常モードより照度が暗い状態の警戒モードの少なくとも２つであることを特徴とする。
【発明の効果】
【０００７】
本発明のうち請求項１に記載の発明によれば、赤外光ＬＥＤと撮像部及びセンサ部が配置される本体ケース内に可視光ＬＥＤが配置され、この可視光ＬＥＤがセンサ部による検知信号や外部入力信号により所定のモードで点灯または点滅するため、赤外光ＬＥＤによる赤外光照明で夜間でも監視エリア内の映像を良好に得ることができて、昼夜に係わらずコスト安価な監視が行えると共に、可視光ＬＥＤによる可視光照明を侵入者への威嚇や便利灯等としても使用することができて、威嚇用の照明装置等を別途設ける必要がなくなり、コスト安価でかつ使い勝手に優れた監視カメラを得ることができる。
【０００８】
また、請求項２に記載の発明によれば、請求項１に記載の発明の効果に加え、赤外光ＬＥＤと可視光ＬＥＤが、本体ケース内に配置された同一のプリント基板上に所定の配列で実装されているため、可視光ＬＥＤと赤外光ＬＥＤを本体ケース内に効率的に配置できて、効果的な映像撮像や威嚇等を行うことができると共に、監視カメラ自体の小型化を図ることができる。
【０００９】
また、請求項３に記載の発明によれば、請求項１または２に記載の発明の効果に加え、可視光ＬＥＤが、通常モード、点滅モード、警戒モードの少なくとも２つのモードで点灯するため、各モードへの設定により効果的な威嚇効果が行えたり便利灯等としてより効果的に使用することができる。
【発明を実施するための最良の形態】
【００１０】
以下、本発明の実施の形態を図面に基づいて詳細に説明する。
図１〜図５は、本発明に係わる監視カメラの一実施形態を示し、図１がそのカバー部材を取り外した状態の斜視図、図２がその要部の正面図、図３が制御系のブロック図、図４が赤外光ＬＥＤの点灯状態を示す説明図、図５が可視光ＬＥＤの点灯状態を示す説明図である。
【００１１】
図１に示すように、監視カメラ１は、全体形状がドーム型に形成され、略有底円筒形状の本体部２ａと、この本体部２ａの開口部に装着されたカバー部２ｂ等からなる本体ケース２を有している。本体ケース内２には、赤外光ＬＥＤ３と可視光ＬＥＤ４が実装された左右一対のプリント基板５ａ、５ｂが配置されている。プリント基板５ａ、５ｂは、該基板５ａ、５ｂ上に実装された各ＬＥＤ３、４の光が、カバー部２ｂに設けられ図示しないカバー部材で覆われる開口から警戒エリア内に照射されるように配置されている。
【００１２】
また、前記各ＬＥＤ３、４は、図２に示すように、各基板５ａ、５ｂにそれぞれ複数個（図では赤外光ＬＥＤ３が９個で可視光ＬＥＤ４が３個）実装されると共に、赤外光ＬＥＤ３が略２列状態で、可視光ＬＥＤ４が赤外光ＬＥＤ３に並列状態で１列実装されている。また、各ＬＥＤ３、４が実装される２枚の基板５ａ、５ｂは、その実装面が所定角度を有する如く配置されている。なお、各ＬＥＤ３、４の配列状態や個数、基板５ａ、５ｂの配置形態等は一例であって、監視カメラ１に必要とされる可視光の照度や警戒エリアの大きさ等に応じて適宜に設定することができる。
【００１３】
図３は、前記監視カメラ１の制御系ブロック図を示しており、以下、これについて説明する。監視カメラ１は、マイコン等からなる制御部６と、この制御部６に電源を供給する外部電源端子８に接続された電源回路７と、制御部６の入力側に接続された同期分離回路９及び信号処理回路１０と、制御部６の出力側に接続された重複回路１１等を有している。また、同期分離回路９と重複回路１１には、カラーＣＣＤ素子等からなる撮像部１２が接続され、信号処理回路１０には、ＣＤＳ素子（焦電素子）等からなるセンサ部１３が接続されている。
【００１４】
そして、前記制御部６の出力側には、前記赤外光ＬＥＤ３と可視光ＬＥＤ４が接続されると共に信号出力端子１４が接続され、また、前記重複回路１１には映像出力端子１５が接続されている。また、制御部６には、外部信号入力端子１６を介してモード設定スイッチ等からなるモード設定部（図示せず）が接続されている。つまり、監視カメラ１は、本体ケース２内に、カラーカメラとして機能する撮像部１２と、熱線センサとして機能するセンサ部１３が一体的に組み込まれている。なお、前記各回路は、前記プリント基板５ａ、５ｂ上に実装されるか、もしくは図示しない本体ケース２内に配置された他のプリント基板上に実装されている。
【００１５】
次に、このように構成された監視カメラ１の動作の一例を図４及び図５に基づいて説明する。図４（ａ）に示すように、電源回路７を介して制御部６に電源が供給されると、図４（ｂ）に示すように、電源がＯＮとなり、照度センサが監視エリアが暗いと判断すると、制御部６から各赤外光ＬＥＤ３に点灯信号が出力されて該ＬＥＤ３が点灯する。この赤外光ＬＥＤ３の点灯で照射される赤外光照明により、警戒エリア内の画像が監視カメラ１の撮像部１２で撮像され、その撮像データが同期分離回路９、制御部６、重複回路１１等で適宜に処理されて、映像出力端子１５から図示しない外部機器としての録画機器に出力されて録画されたり、あるいは監視センターに伝送されて記憶される。
【００１６】
一方、図５（ａ）に示すように、外部入力端子１６から外部入力信号が入力された場合は、制御部６を介して各可視光ＬＥＤ４が点灯し、このとき、可視光ＬＥＤ４の点灯は、例えば３つのモードで点灯するようになっている。すなわち、前記モード設定部で通常モードが設定されて外部信号入力端子１６から信号が制御部６に入力された場合は、図５（ｂ）に示すように、可視光ＬＥＤ４に電流値Ｉが連続的に供給されて、各可視光ＬＥＤ４が連続点灯する。この通常モードは、監視カメラ１を常夜灯等の便利灯として使用する際等に適用される。
【００１７】
また、モード設定部で警戒モードが設定された場合は、図５（ｃ）に示すように、前記電流値Ｉより低電流値（例えば電流値Ｉ／２）が可視光ＬＥＤ４に供給されて、各可視光ＬＥＤ４が通常モードより照度が落ちた状態で点灯または点滅する。この可視光ＬＥＤ４の点灯で、監視カメラ１から通常モードより暗い可視光が警戒エリア内に照射されて、警戒状態であることが侵入者等に報知される。
【００１８】
また、図５（ｄ）に示すように、モード設定部で点滅モードが設定されて外部信号入力端子１６から信号が制御部６に入力された場合、またはセンサ部１３で侵入者が検知されてＯＮとなった場合は、制御部６から各可視光ＬＥＤ４に電流値Ｉがパルス状に供給されて各ＬＥＤ４が点滅する。このときの可視光ＬＥＤ４の点滅パターンは、そのオン・オフ時間Ｔ１を増減させることにより点滅状態を適宜に変更できるし、電流値Ｉを増減させて点滅時の可視光ＬＥＤ４の照度を変更することもできる。
【００１９】
この点滅モードは、センサ部１３により侵入者が検知された場合に実行されることから、可視光ＬＥＤ４の点滅で侵入者への威嚇効果が得られ、その際、点滅状態を所定に設定することで、より効果的な威嚇効果が得られることになる。つまり、前記監視カメラ１によれば、監視カメラ１内に設けた可視光ＬＥＤ４がモード設定部で設定されたモードに応じて、通常、警戒、点滅の３つのモードで点灯することになる。
【００２０】
なお、以上の例では、可視光ＬＥＤ４の点灯が、通常モードと警戒モード及び点滅モードの３つのモードで点灯する例について説明したが、例えば、図６に示すような点滅モードを追加することもできる。すなわち、図６（ａ）に示すように、センサ部１３で侵入者が検知された場合に、各基板５ａ、５ｂ上の３個の可視光ＬＥＤ４（図では可視光ＬＥＤ１〜３）を、図６（ｂ）に示すように連続して順番に点灯させたり、図６（ｃ）に示すように所定の時間差Ｔ２を持って順番に点灯させて光を移動させる。このときも、各ＬＥＤ４に供給される電流値Ｉを図６（ｂ）の二点鎖線で示すように変化させて、多彩な点滅状態を創出し、侵入者への威嚇効果をより一層高めることもできる。なお、この実施形態の場合、可視光ＬＥＤ４の個数によっては、可視光ＬＥＤ４をグループ分けして点灯させることも可能である。
【００２１】
このように、上記実施形態の監視カメラ１にあっては、撮像部１２とセンサ部１３が内蔵された本体ケース２内に赤外光ＬＥＤ３と可視光ＬＥＤ４が配置され、この可視光ＬＥＤ４が監視エリア内の状況に応じて点灯するため、赤外光ＬＥＤ３による赤外光照明で夜間でも監視エリア内の映像を良好に得ることができて、昼夜に係わらずコスト安価な監視に行うことができる。
【００２２】
また、可視光ＬＥＤ４が外部入力信号やセンサ部１３で侵入者を検知した場合等に点灯するため、外部入力信号により可視光照明を常夜灯等の便利灯として使用することができると共に、侵入者を検知した場合の点灯により可視光照明を侵入者への威嚇用としても使用することができ、従来の暗視型の監視カメラのように威嚇用の照明装置や威嚇装置を別途設ける必要がなくなる。特に、可視光ＬＥＤ４が、通常モード、点滅モード、警戒モードの少なくとも２つのモードで点灯するため、各モードへの設定により効果的な威嚇効果が行えたり便利灯等としてより効果的に使用することができ、これらにより、コスト安価でかつ使い勝手に優れた監視カメラ１を得ることができる。
【００２３】
また、威嚇用としても使用できる可視光照明が可視光ＬＥＤ４の点灯により行われるため、監視カメラ１自体の消費電力を少なくできると共にハロゲン灯等に比較してＬＥＤ３、４自体の寿命を延ばすことができて、メンテナンスコストの低減化を図ることができる。さらに、赤外光ＬＥＤ３と可視光ＬＥＤ４が、本体ケース２内に配置されたプリント基板５ａ、５ｂ上に所定の配列で実装されているため、可視光ＬＥＤ３と赤外光ＬＥＤ４を本体ケース２内に効率的に配置できて、所望方向に所定の光を照射できる等、効果的な映像の撮像や威嚇等を行うことができると共に、監視カメラ１自体の小型化を図ることができる。
【００２４】
なお、上記実施形態においては、可視光ＬＥＤ４を赤外光ＬＥＤ３と同一基板５ａ、５ｂ上に実装したが、本発明はこの構成に限定されず、例えば可視光ＬＥＤ４を専用のプリント基板に実装して所定方向に可視光を照射するようにしても良い。また、上記実施形態においては、本体ケース２内に配置したセンサ部１３の検知信号により、可視光ＬＥＤ４を点灯させて威嚇効果を得るようにしたが、例えば監視カメラ１とは別体で設けた熱線センサ等の各種センサと連動させて監視カメラ１内の可視光ＬＥＤ４を点灯させて威嚇効果を得るように構成することもできる。
【００２５】
さらに、上記実施形態における、可視光ＬＥＤ４の点灯モード、あるいは制御系のブロック図等は一例であって、例えば警戒モード時に、点滅モードの一部を付加する等、各モードを適宜に組み合わせる等、本発明に係わる各発明の要旨を逸脱しない範囲において適宜に変更することができる。
【産業上の利用可能性】
【００２６】
本発明は、全体形状がドーム型の監視カメラに限らず、撮像部とセンサ部が一体化された各種監視カメラにも利用できる。
【図面の簡単な説明】
【００２７】
【図１】本発明に係わる監視カメラのカバー部材を取り外した状態の斜視図
【図２】同その要部の正面図
【図３】同制御系を示すブロック図
【図４】同赤外光ＬＥＤの点灯状態を示す説明図
【図５】同可視光ＬＥＤの点灯状態を示す説明図
【図６】同可視光ＬＥＤの他の点灯状態を示す説明図
【符号の説明】
【００２８】
１・・・監視カメラ、２・・・本体ケース、３・・・赤外光ＬＥＤ、４・・・可視光ＬＥＤ、５ａ、５ｂ・・・プリント基板、６・・・制御部、７・・・電源回路、８・・・外部電源端子、９・・・同期分離回路、１０・・・信号処理回路、１１・・・重複回路、１２・・・撮像部、１３・・・センサ部、１４・・・信号出力端子、１５・・・映像出力端子、１６・・・外部信号入力端子。
【図１】
2009017185.tif 000003
【図２】
2009017185.tif 000004
【図３】
2009017185.tif 000005
【図４】
2009017185.tif 000006
【図５】
2009017185.tif 000007
【図６】
2009017185.tif 000008